(57)【要約】      （修正有）【課題】乳児に薬を飲ませる効率を向上させ、洗浄及び消毒を便利にする哺乳瓶式投薬器を提供する。【解決手段】哺乳瓶式注射投薬器は、瓶体１、乳首状吸い口２及び注射器３を含み、注射器３は、プッシュショットシリンダ及びプッシュショット棒３２を含み、乳首状吸い口２は瓶体１の先端に固定され、瓶体１の後端に開口４が設けられている。乳首状吸い口と瓶体との間には、仕切り盤５が取り付けられ、仕切り盤には液体通路５１が設けられている。液体通路５１の入口端側の側壁には、ミルク通過孔５２が設けられている。プッシュショットシリンダは取り外し可能に瓶体１における開口４と仕切り盤５との間に配置されている。プッシュショットシリンダの大口側端部が開口４に位置合わせされ、プッシュショットシリンダの小口側端部が仕切り盤５の液体通路５１の入口端に接続され、液体通路５１の出口端が乳首状吸い口２に接続されている。【選択図】図３
0003192605.tif 000002
【実用新案登録請求の範囲】
【請求項１】
瓶体、乳首状吸い口及び注射器を含む哺乳瓶式注射投薬器であり、
前記注射器は、プッシュショットシリンダ及びプッシュショット棒を備え、
前記乳首状吸い口は前記瓶体の先端に固定され、前記瓶体の後端に開口が設けられており、
前記乳首状吸い口と前記瓶体との間に仕切り盤配置され、前記仕切り盤には液体通路が設けられ、前記液体通路の入口端側の側壁にミルク通過孔が形成されており、
前記プッシュショットシリンダが取り外し可能に前記瓶体内における前記開口と前記仕切り盤との間に配置され、
前記プッシュショットシリンダの大口側端部が前記開口に位置合わせされていると共に、前記プッシュショットシリンダの小口側端部が前記仕切り盤の前記液体通路の入口端に接続され、前記液体通路の出口端が前記乳首状吸い口に接続されていることを特徴とする哺乳瓶式注射投薬器。
【請求項２】
前記プッシュショットシリンダの前記大口側端部の筒壁外側に環状凸肩が形成され、前記瓶体の前記開口に連続した個所の内側壁に固定凹リングが設けられ、前記凸肩が前記固定凹リング内に係合していることを特徴とする、請求項１に記載の哺乳瓶式注射投薬器。
【請求項３】
前記瓶体はその瓶口とネジ接続する先端蓋を含み、前記先端蓋の中央部に乳首状吸い口用取付孔が設けられ、前記乳首状吸い口及び前記仕切り盤が前記先端蓋によって前記瓶体の先端に固定されていることを特徴とする、請求項１または２に記載の哺乳瓶式注射投薬器。
【請求項４】
前記瓶体は側壁及び後端蓋を備え、前記瓶体の側壁は前記後端蓋とネジ接続し、前記開口及び前記固定凹リングが前記後端蓋の中央部に設けられていることを特徴とする、請求項２に記載の哺乳瓶式注射投薬器。
【請求項５】
前記瓶体は、側壁、前記側壁とネジ接続する後端蓋、及び、前記側壁とネジ接続する先端蓋を含み、
前記開口及び前記固定凹リングが前記後端蓋の中央部に設けられ、前記先端蓋の中央部に乳首状吸い口用取付孔が設けられており、
前記乳首状吸い口及び前記仕切り盤が前記先端蓋によって前記瓶体の先端に固定されていることを特徴とする、請求項２に記載の哺乳瓶式注射投薬器。
【請求項６】
前記乳首状吸い口に前記液体通路の出口端と位置合わせされるホースが設けられ、前記ホースの一端が前記液体通路の出口端に接続され、他端が前記乳首状吸い口の液体排出孔に連通していることを特徴とする、請求項１に記載の哺乳瓶式注射投薬器。
【請求項７】
前記液体排出孔は、前記乳首状吸い口の中心に対して十字形に交差する四つの方向にそれぞれ設けられた円孔であることを特徴とする、請求項６に記載の哺乳瓶式注射投薬器。
【請求項８】
前記乳首状吸い口と前記ホースとが一体としてインジェクション成形されていることを特徴とする、請求項６または７に記載の哺乳瓶式注射投薬器。
【請求項９】
前記プッシュショット棒の作業端にリングプルが設けられていることを特徴とする、請求項１〜８のいずれか１項に記載の哺乳瓶式注射投薬器。
【請求項１０】
前記瓶体の先端に乳首状吸い口蓋が着脱可能に取り付けられ、前記乳首状吸い口蓋の側壁に容量目盛りが設けられていることを特徴とする、請求項１〜９のいずれか１項に記載の哺乳瓶式注射投薬器。
【考案の詳細な説明】
【技術分野】
【０００１】
本考案は、投薬器に関し、特に乳児に薬を飲ませる際に使用される哺乳瓶式注射投薬器に関する。
【背景技術】
【０００２】
多くの家庭において、乳児に薬を飲ませることは非常に困難である。ほとんどの乳児は服薬を怖がるので、普通の薬スプーンで薬を飲ませるときは覆されて零れ落ちることが多いであろう。哺乳瓶の底部に円柱型の空胴が装着され、この円柱形の空胴に薬液を入れる一方、哺乳瓶にミルクまたは他の服薬補助液を入れる乳児投薬器を仮想する人がいる。この場合、プッシュショット棒によって哺乳瓶の乳首状吸い口の空胴に薬液を押入れ、乳児がミルクを吸い込む時に薬液も同時に飲み下すことになる。しかし、このような投薬器には以下の問題が存在している。
【０００３】
１、プッシュショット棒によって乳首状吸い口の空胴内に薬液を押し入れ、乳首状吸い口の空胴も哺乳瓶と直接に連通されているため、使用の過程において薬液が哺乳瓶の中のミルクに混入して、乳児が苦い味を感じたら飲み続けたくなくなる。
【０００４】
２、この投薬器の円柱形空胴と哺乳瓶とは一体化にデザインされているため、哺乳瓶から取り外すことができず、投薬器の洗浄及び消毒に不便である。
【０００５】
３、この投薬器の円柱形空胴と哺乳瓶とは一体化にインジェクション成形されているため、製造プロセスが複雑で、生産コストも大いに増加する。
【考案の概要】
【考案が解決しようとする課題】
【０００６】
本考案の目的は前記仮想的な投薬器の不利益を克服するために、哺乳瓶と注射器とを完全に分離できる、洗浄しやすい投薬器を提供することである。
【課題を解決するための手段】
【０００７】
本考案は、瓶体、乳首状吸い口及び注射器を含む哺乳瓶式注射投薬器であり、前記注射器はプッシュショットシリンダ及びプッシュショット棒を備え、前記乳首状吸い口は瓶体の先端に固定され、前記瓶体の後端に開口が設けられており、前記乳首状吸い口と瓶体との間に仕切り盤が配置され、仕切り盤には液体通路が設けられ、前記液体通路の入口端側の側壁にミルク通過孔が形成されており、前記プッシュショットシリンダが取り外し可能に前記瓶体内における前記開口と仕切り盤との間に配置され、プッシュショットシリンダの大口側端部が前記開口に位置合わせされていると共に、プッシュショットシリンダの小口側端部が前記仕切り盤の液体通路の入口端に接続され、液体通路の出口端が前記乳首状吸い口に接続されている。
【０００８】
前記プッシュショットシリンダの大口側端部の筒壁外側に環状凸肩が形成され、前記瓶体の開口に連続した個所の内側壁に固定凹リングが設けられ、前記凸肩が前記固定凹リング内に係合していることが好ましい。
【０００９】
前記瓶体はその瓶口とネジ接続する先端蓋を含み、前記先端蓋の中央部に乳首状吸い口用取付孔が設けられ、前記乳首状吸い口及び仕切り盤が前記先端蓋によって前記瓶体の先端に固定されていることが好ましい。
【００１０】
前記瓶体は側壁及び後端蓋を備え、前記瓶体の側壁は後端蓋とネジ接続し、前記開口及び固定凹リングが前記後端蓋の中央部に設けられていることが好ましい。
【００１１】
前記瓶体は、側壁、側壁とネジ接続する後端蓋、及び、側壁とネジ接続する先端蓋を含み、前記開口及び固定凹リングが後端蓋の中央部に設けられ、前記先端蓋の中部に乳首状吸い口用取付孔が設けられており、前記乳首状吸い口及び仕切り盤が前記先端蓋によって前記瓶体の先端に固定されていることが好ましい。
【００１２】
前記乳首状吸い口に前記液体通路の出口端と合わせられるホースが設けられ、前記ホースの一端が液体通路の出口端に接続され、他端が前記乳首状吸い口の液体排出孔に連通していることが好ましい。
【００１３】
前記液体排出孔は、前記乳首の中心に対して十字形に交差する四つの方向にそれぞれ設けられた円孔であることが好ましい。
【００１４】
前記乳首状吸い口とホースとが一体としてインジェクション成形されていることが好ましい。
【００１５】
前記プッシュショット棒の作業端にリングプルが設けられていることが好ましい。
【００１６】
瓶体の先端に乳首状吸い口蓋が着脱可能に取り付けられ、前記乳首状吸い口蓋の側壁に容量目盛りが設けられていることが好ましい。
【考案の効果】
【００１７】
本考案によれば、乳首状吸い口と哺乳瓶との間に仕切り盤が設けられ、そして仕切り盤に薬液通路が設けられており、薬液と哺乳瓶の中の他の液体とを完全に分離することができるため、薬液が哺乳瓶内のミルクに混入することはなく、乳児はミルクを吸い込むとき薬液を完全に吸入することができる。また、哺乳瓶の後端に開口が設けられており、注射器が取り外し可能に開口と仕切り盤との間に配置され、投薬器の洗浄及び消毒に便利である。
【図面の簡単な説明】
【００１８】
【図１】図１は本考案の実施例１の構成概略図である。
【図２】図２は本考案の実施例２の構成概略図である。
【図３】図３は本考案の実施例３の構成概略図である。
【図４】図４は実施例４における哺乳瓶の構成概略図である。
【図５】図５は本考案の実施例１〜３における注射器の構成概略図である。
【図６】図６は仕切り盤の構成概略図である。
【図７】図７は乳首状吸い口蓋の構成概略図である。
【図８】図８は図１におけるＡ箇所の右視断面図である。
【図９】図９は図１におけるＡ箇所の一部拡大図である。
【考案を実施するための形態】
【００１９】
本考案の技術内容、構造特徴、実現の目的及び効果を詳しく説明するために、以下に実施形態及び図面を参照しながら詳しく説明する。図１〜図９において、同様な素子または部位について同じ符号で表示している。図面は説明するためのものなので、元のサイズ通りに作成されたものではないことに注意すべきであろう。
【００２０】
実施例１
図１に示されるように、哺乳瓶式注射投薬器は、瓶体１、乳首状吸い口２及び注射器３を含み、注射器３は、プッシュショットシリンダ３１及びプッシュショット棒３２を含み、乳首状吸い口２は瓶体１の先端に固定され、瓶体１の後端に開口４が設けられている。乳首状吸い口と瓶体との間には、仕切り盤５が取り付けられ、仕切り盤には液体通路５１が設けられている。液体通路５１の入口端側の側壁には、ミルク通過孔５２が設けられている。プッシュショットシリンダ３１は取り外し可能に瓶体１における開口４と仕切り盤５との間に配置されている。プッシュショットシリンダ３１の大口側端部が開口４に位置合わせされ、プッシュショットシリンダ３１の小口側端部が仕切り盤５の液体通路５１の入口端に接続され、液体通路５１の出口端が乳首状吸い口２に接続されている。
【００２１】
本実施例において、乳首状吸い口２と瓶体１との間に仕切り盤５が取り付けられ、仕切り盤５によってミルクと薬液が隔離されている状態になるため、薬液が哺乳瓶中に混入して液体の味が変わることがない。注射器が取り外し可能に瓶体１の底部の開口４と仕切り盤５との間に配置されているため、投薬器の洗浄及び消毒には便利であり、生産プロセスの難度も低下する。
【００２２】
本実施例において、瓶体１は、瓶体１の瓶口とネジ接続する先端蓋１２を備え、瓶口と先端蓋１２との間に取っ手を取り付けるための取っ手スロット１４がさらに設けられている。先端蓋１２の中央部には乳首状吸い口用取付孔が設けられており、乳首状吸い口２及び仕切り盤５は先端蓋１２によって瓶体１の先端に固定されている。使用時に先端蓋１２、乳首状吸い口２及び仕切り盤５を取り外して薬液を入れた注射器３を後端の開口４に配置し、そして、プッシュショットシリンダ３１の凸肩３３を固定凹リング１１内に固定させる。それから、瓶体１の先端からミルクまたはその他の液体を入れて、乳首状吸い口２及び仕切り盤５を順次に先端蓋１２に装着してから、仕切り盤５の薬入口を注射器３の小口側端部に正確に配置する。先端蓋１２を回転させて締め込むと、注射器３が仕切り盤５と開口４との間に強固に固定される。
【００２３】
図１に示されるように、本実施例において、プッシュショットシリンダを瓶体１の開口４と仕切り盤５との間により安定に装着すると共に、プッシュショットシリンダ３１が瓶体１内に脱落することを有効に防止できるように、プッシュショットシリンダ３１の大口側端部の筒壁外側に環状の凸肩３３が設けられており、瓶体の開口４の内側壁には固定凹リング１１が設けられており、凸肩３３が固定凹リング１１内に係合している。
【００２４】
図９に示されるように、本実施例において、注射器３内の薬液がより直接に乳児の口の中に流れ込むようにするため、乳首状吸い口２には液体通路５１の出口端と位置合わせされるホース６が設けられている。ホース６の一端は液体通路５１の出口端に接続され、他端は乳首状吸い口２上の液体排出孔２２に連通している。
【００２５】
図８及び図９に示されるように、液体が直接に乳児の気管または咽喉部分に注入されることを防止するために、液体排出孔２２は、乳首状吸い口の乳首２１の中心に対して十字形に交差する四つの方向にそれぞれ一つの円孔として形成されている。前記円孔の軸方向は、瓶体１の軸方向と一定の角度を成しているため、液体排出孔から出てきた液体は口腔の周囲にしか流れず、気管または咽喉に直接注入されることはない。本実施例において、乳首状吸い口２とホース６とは一体としてインジェクション成形されている。
【００２６】
図５に示されるように、本実施例においては、プッシュショット棒３２の作業端にリングプル３５が設置されている。プッシュショット棒３２の末端のピストン３４を押し動かすまたは引き動かしやすくするために、プッシュショット棒３２の作業端にリングプル３５が設けられている。リングプル３５は、プッシュショット棒３２の作業端に一体成形され、その直径が１５〜２０ｍｍの円環形状である。使用時に、使用者の親指をリングプル３５に挿入して、親指と他の指とを共に用いてプッシュショット棒３２を押し動かす又は引き動かす動作を完了する。そのため、片手で薬を飲ませる動作を完了させることができ、薬を飲ませる際にプッシュショット棒を押し動かす又は引き動かすことが大幅に便利になる。
【００２７】
図７に示されるように、本実施例において、哺乳瓶式注射器は、瓶体１の先端に着脱可能に取り付けられた乳首状吸い口蓋２４をさらに含み、乳首状吸い口蓋２４の側壁には、容量目盛り２４１が設けられている。乳首状吸い口蓋２４によって乳首状吸い口２が外気に暴露されることを防止でき、乳首状吸い口の衛生状態を保持できる。また、乳首状吸い口蓋２４は平面上に逆立ちさせることができ、蓋体の側壁上に容量目盛りが設けられているため、薬の測量容器としても都合がよい。
【００２８】
実施例２
図２に示されるように、本実施例２と実施例１との相違点は、実施例２では、瓶体１が側壁及び後端蓋１３を有し、瓶体の側壁が後端蓋１３にネジ接続され、開口４及び固定凹リング１１が後端蓋１３の中央部に設けられていることである。
【００２９】
使用する際、後端蓋１３を取り外して、乳首状吸い口２及び仕切り盤５を順次に瓶体１の先端に装着してから、薬液を入れた注射器３を瓶体１の後端から瓶体１内に装入して、プッシュショットシリンダ３１の小口側端部を仕切り盤５の液体通路５１に位置合わせして、後端から瓶体１にミルクまたは他の液体を注入してから、後端蓋１３の固定凹リング１１とプッシュショットシリンダ３１の凸肩３３とを係合させた後、最後に後端蓋１３によってプッシュショットシリンダ３１を仕切り盤５と瓶体１の後端の開口４との間に強固に固定する。後端蓋１３を回転により締め込むと、注射器３が仕切り盤５と開口４との間に強固に固定される。
【００３０】
実施例１と比較し、本実施例において、瓶体１の後端にネジ接続式の後端蓋が設けられているため、瓶体１の中にミルクまたは他の液体を注入するのに便利であり、当該哺乳瓶式注射器の使用利便性が向上する。
【００３１】
実施例３
図３に示されるように、本実施例３と実施例１及び実施例２との相違点は、実施例３では、瓶体１が先端蓋１２、瓶体の側壁及び後端蓋１３を有することである。瓶体の側壁が後端蓋１３にネジ接続され、瓶体の側壁が先端蓋１２にもネジ接続され、開口４及び固定凹リング１１が後端蓋１３の中央部に設けられている。先端蓋１２の中央部には乳首状吸い口用取付孔が設けられており、乳首状吸い口及び仕切り盤は、先端蓋によって瓶体の先端に固定されている。作業時に、まずは薬液で満杯となった注射器３を後端蓋１３の凹リング１１の中に固定してから瓶体１に装入する。そして、後端蓋１３を回転により締め込んだ後、瓶体１の先端からミルクまたは服薬補助液を投入してから、乳首状吸い口及び仕切り盤を先端蓋１２に装着したら、先端蓋を回転させることにより締め込む。
【００３２】
乳首状吸い口２の使用寿命は短いから、乳首状吸い口２を頻繁に交換することが必要となる。本実施例において瓶体１は瓶体の側壁、先端蓋１２及び後端蓋１３を含むため、乳首状吸い口の交換が便利になると共に、実施例２のようにミルクを瓶体１に注入することが便利であるという効果も有する。なお、瓶体１は瓶体の側壁、先端蓋１２及び後端蓋１３を含むように構成されているため、瓶体の洗浄及び取付に便利である。
【００３３】
図１、図２及び図３に示されるように、以上の実施例１〜実施例３において、瓶体１中の服薬補助液（ミルクまたは他の液体）は仕切り盤５におけるミルク通過孔５２、液体通路５１及び乳首状吸い口２上の液体排出孔２２を経由して乳児の口に吸入され、薬液は、注射器３によって押し動かされて仕切り盤５における液体通路５１及びホース６の液体排出孔２２を経由して乳児の中に入る。従って、投薬器内で薬液通路及びミルク通路が完全に隔離されているため、乳児の口内に到着しなければ薬液及びミルクが混合されない。そのため、薬液が瓶体中のミルクと混合することでミルクの味が変わることを防止できると共に、乳児の薬液吸入薬量を正確に制御できる。乳児は薬を飲むことを好まないので、まず乳児に自ら瓶体１の中のミルクを吸入させ、乳児が夢中でミルクを吸入しているうちに、不意にプッシュショット棒３２を押し動かして薬液を乳児の口に入れる。乳児が薬の味を感じ、吸い取ることを拒絶すると、プッシュショット棒３２を押し動かすのを停止する。乳児が再び吸い取る際に吸入できるのはミルクであり、その後、薬を注射して飲ませる。これを薬を飲みきるまで繰り返せばよい。
【００３４】
実施例４
図４に示されるように、本実施例は哺乳瓶である。実施例３との相違点は、実施例４では、哺乳瓶が元から有する注射器３を除去すると共に、後端蓋１３の開口４のところに封止シート７を追加し、仕切り盤５における液体通路５１の入口端に、末端に重り球８１があるミルクホース８を接続することである。重り球は内部に鋼球が配置されたプラスチックボールであり、ミルクホース通過孔２３は重り球を貫通している。
【００３５】
本実施例において、実施例３の哺乳瓶式注射投薬器を元に少し調整すれば哺乳瓶に変更できるため、一つの物の多用途化という目的を実現できる。
【００３６】
市販の投薬器によれば、乳児は一回薬を飲んだ後、苦い記憶が残り、二度目の服薬を拒絶する可能性が高い。本考案における哺乳瓶式投薬器は、通常に哺乳瓶として利用されているため、乳児には良い思い出ができて、乳児の両親がこれを投薬器に変更した際、乳児は能動的に口を開けて「薬をのむこと」になる。また、市販の投薬器によれば、乳児が薬の苦さを感じた際に薬を吐き出すことも多い。本考案における哺乳瓶式投薬器は、乳児がミルクを吸い込んで飲み下そうとする時に薬液を乳児の口に注入できる。すると、乳児が薬液をミルクと共に飲み下すので、乳児の薬吐き出し問題を効果的に解決できるようになる。
【００３７】
本考案における哺乳瓶式投薬器によって、乳児が能動的に口を開けて薬を吸い込み・飲み下すことが可能となる。
【００３８】
上述に記載された実施例は、本考案の比較的好適な実施形態であり、本考案の実施形態が上記実施例に限定されるものではない。したがって、本考案の明細書及び図面の内容に基づき完成できた同じ効果を有する構成又は同じ効果を有するようなフローの変更、もしくは、直接または間接的に他の関連技術分野に適応したものは、その全てが本考案の保護範囲に属すると理解すべきである。
【符号の説明】
【００３９】
１−瓶体；２−乳首状吸い口；３−注射器；４−開口；５−仕切り盤；６−ホース；７−封止シート；８−ミルク吸い込みホース；１１−固定凹リング；１２−先端蓋；１３−後端蓋；１４−取っ手スロット；２１−乳首；２２−液体排出孔；２３−ホース通過孔；２４−乳首状吸い口蓋；３１−プッシュショットシリンダ；３２−プッシュショット棒；３３−凸肩；３４−ピストン；３５−リングプル；５１−液体通路；５２−ミルク通過孔；８１−重り球；２４１−容量目盛り
【図１】
0003192605.tif 000003
【図２】
0003192605.tif 000004
【図３】
0003192605.tif 000005
【図４】
0003192605.tif 000006
【図５】
0003192605.tif 000007
【図６】
0003192605.tif 000008
【図７】
0003192605.tif 000009
【図８】
0003192605.tif 000010
【図９】
0003192605.tif 000011